(57)【特許請求の範囲】
【請求項１】
動画像を記録可能な撮像装置であって、
被写体像に基づいて動画像を生成する動画像生成部と、
記録される動画像の画質を決定する複数の記録モードの中から１つの記録モードを設定する設定部と、
撮像装置の筐体内の温度を測定する温度検出部と、
前記撮像装置が動画像を記録できる時間を示す残り記録時間を表示可能な表示部と、
前記表示部を制御する表示制御部とを備え、
前記複数の記録モードは、その記録モードで継続して前記動画像生成部を動作させた場合に、前記筐体の温度が第１の所定温度に達する程度に発熱する第１の記録モードと、その記録モードで継続して前記動画像生成部を動作させた場合に、前記筐体が第１の所定温度に達し得ない程度に発熱する第２の記録モードとを含み、
前記表示制御部は、
前記温度検出部の測定結果が示す筐体内温度に基づき前記残り記録時間を求め、
前記設定部により設定された記録モードが前記第１の記録モードであるか否かを判断し、その判断結果に基づいて、前記筐体内温度に基づき求めた残り記録時間を前記表示部に表示するか否かを決定する、
撮像装置。
【請求項２】
前記動画像生成部により生成された動画像を記録媒体に記録するよう制御する記録制御部をさらに備え、
前記表示制御部はさらに前記記録媒体の残り記録容量に基づいて前記残り記録時間を求め、
前記設定部により設定された記録モードが前記第１の記録モードである場合に、前記表示制御部は、前記筐体内温度に基づき求めた残り記録時間及び前記記録媒体の記録容量に基づき求めた残り記録時間の中のより小さい方の残り時間を前記表示部に表示させる、
請求項１に記載の撮像装置。
【請求項３】
前記表示制御部は、前記設定部により設定された記録モードに応じて、前記残り記録時間を求める、請求項２に記載の撮像装置。
【請求項４】
前記生成した動画像を記録媒体に記録するよう制御する記録制御部をさらに備え、
前記表示制御部はさらに前記記録媒体の残り記録容量に基づいて前記残り記録時間を求め、
前記設定部により設定された記録モードが前記第１の記録モードである場合に、前記表示制御部は、
前記温度検出部の測定結果が示す温度が第２の所定温度よりも高いときは、前記筐体内温度に基づき求めた残り記録時間を前記表示部に表示し、一方、前記温度検出部の測定結果が示す温度が第２の所定温度よりも低いときは、前記記録媒体の記録容量に基づき求めた残り記録時間を前記表示部に表示する、
請求項１に記載の撮像装置。
【請求項５】
前記第２の所定温度は前記第１の所定温度よりも低い温度である、請求項４に記載の撮像装置。
【請求項６】
動画像の記録動作中において前記温度検出部の測定結果が示す温度が前記第１の所定温度に達したときに、前記動画像の記録動作を停止させる記録停止部をさらに備えた、
請求項１に記載の撮像装置。
【発明の詳細な説明】
【技術分野】
【０００１】
本発明は動画像の記録が可能な撮像装置に関する。
【背景技術】
【０００２】
光学系を介して形成された被写体像を撮像して画像データを生成する撮像センサを搭載したデジタルカメラが普及している。撮像センサは、電力を消費して画像データ生成のための各種処理動作を行う。撮像センサは各種処理動作を行う際に発熱する。特に、動画記録処理のように長時間継続して動作する場合、発熱により、撮像センサや画像処理エンジンの温度上昇がより顕著になる。
【０００３】
このような撮像装置内の温度上昇により、撮像センサの出力に顕著なノイズが混在するようになったり、ユーザがカメラ筐体を把持するのに支障が生じたり、カメラ本体や構成部品が変形してしまったりするという問題が生じ得る。近年、デジタルカメラの小型化に伴い、撮像センサの熱対策が課題になっている。
【０００４】
撮像センサの熱対策として、温度検出手段により検出された温度が許容温度を超えたときに、警告を発したり、カメラ撮影動作を制限したりするデジタルカメラが知られている。例えば、特許文献１は、温度センサによって測定された温度が許容温度（７０度）を超えると、デジタルカメラの動作のうち消費電力が高い動作である動画記録動作を停止し、デジタルカメラの動作のうち消費電力の低い動作である静止画撮影動作を実行可能に制御する技術を開示している。
【先行技術文献】
【特許文献】
【０００５】
【特許文献１】特開２００７−２８４２５号公報
【発明の概要】
【発明が解決しようとする課題】
【０００６】
特許文献１に開示された技術では、長時間動画記録を継続したいようなシーンを撮影している場合に、温度センサによって許容温度を超えた温度が検出されると、動画記録動作が急に停止してしまう。これでは、大切なシーンを記録できず、ユーザにとって不都合である。
【０００７】
本発明は上記課題を鑑みてなされたものであり、撮像装置内の温度上昇に伴い動画記録の停止動作が発生し得る状況をユーザ（撮影者）が予め把握できるようにした撮像装置を提供することを目的とする。
【課題を解決するための手段】
【０００８】
第１の態様の撮像装置は、動画像を記録可能な撮像装置であって、被写体像に基づいて動画像を生成する動画像生成部と、記録される動画像の画質を決定する複数の記録モードの中から１つの記録モードを設定する設定部と、撮像装置の筐体内の温度を測定する温度検出部と、撮像装置が動画像を記録できる時間を示す残り記録時間を表示可能な表示部と、表示部を制御する表示制御部とを備える。複数の記録モードは、その記録モードで継続して前記動画像生成部を動作させた場合に、筐体の温度が第１の所定温度に達する程度に発熱する第１の記録モードと、その記録モードで継続して動画像生成部を動作させた場合に、筐体が第１の所定温度に達し得ない程度に発熱する第２の記録モードとを含む。表示制御部は、温度検出部の測定結果が示す筐体内温度に基づき前記残り記録時間を求め、さらに、設定部により設定された記録モードが第１の記録モードであるか否かを判断し、その判断結果に基づいて、筐体内温度に基づき求めた残り記録時間を前記表示部に表示するか否かを決定する。
【発明の効果】
【０００９】
本発明の撮像装置によれば、筐体温度に基づいて、動画像の残り記録時間を求めて表示部に表示する。このような表示により、ユーザは温度上昇に伴い動画記録動作の停止動作が発生する状況を予め把握することが可能となる。
【図面の簡単な説明】
【００１０】
【図１】デジタルカメラの前面構成図
【図２】デジタルカメラの背面構成図
【図３】デジタルカメラの電気的構成図
【図４】デジタルカメラの内部構成イメージ図
【図５】設定した撮影モードに対する温度上昇率を説明するための図
【図６】動画記録における残記録時間表示の動作フローチャート
【図７】残記録時間表示のイメージ図
【図８】実施の形態１に係る残記録時間表示の切り替え判断フローチャート
【図９】時間経過に伴って温度上昇したときの制御を説明するための図
【図１０】実施の形態２に係る残記録時間表示の切り替え判断フローチャート
【図１１】動画記録モードを設定する画面のイメージ図
【図１２】他の実施形態に係る残記録時間表示のイメージ図
【発明を実施するための形態】
【００１１】
以下、添付の図面を参照して本発明の実施形態を説明する。
【００１２】
実施の形態１
本実施の形態のデジタルカメラによれば、筐体の温度を測定し、温度に依存して変化する記録可能な動画の残り時間を、測定した温度に基づき演算し、演算した残り時間を表示部に表示する。この構成により、ユーザは、筐体の測定温度に基づいて動画記録の停止動作が発生する状況を、事前に把握することができる。
【００１３】
１−１  構成
以下、図面を用いて本実施の形態のデジタルカメラの構成を説明する。
【００１４】
１−１−１  デジタルカメラの構成
図１は、本実施の形態のデジタルカメラ１００の正面図である。デジタルカメラ１００は前面に光学系１１０を納める鏡筒や、フラッシュ１６０を備える。また、デジタルカメラ１００は上面に、レリーズ釦２０１、ズームレバー２０２、電源２０３などの操作釦を備える。
【００１５】
図２は、デジタルカメラ１００の背面図である。デジタルカメラ１００は背面に液晶モニタ１２３や、動画記録釦２０６や中央釦２０４や十字釦２０５などの操作釦を備える。
【００１６】
図３は、デジタルカメラ１００の電気的構成図である。デジタルカメラ１００は、光学系１１０を介して形成された被写体像をＣＣＤイメージセンサ１２０で撮像する。ＣＣＤイメージセンサ１２０は撮像した被写体像に基づく画像情報を生成する。ＣＣＤイメージセンサ１２０により生成された画像情報は、ＡＦＥ（アナログ・フロント・エンド）１２１や画像処理部１２２において各種処理が施される。各種処理が施された画像情報はフラッシュメモリ１４２やメモリカード１４０に記録される。フラッシュメモリ１４２やメモリカード１４０に記録された画像情報は、操作部１５０上でのユーザによる操作にしたがい液晶モニタ１２３上に表示される。以下、図１から図３に示す構成の詳細を説明する。
【００１７】
光学系１１０は、フォーカスレンズ１１１やズームレンズ１１２、絞り１１３、シャッタ１１４等により構成される。図示していないが、光学系１１０は、光学式手ぶれ補正レンズ（OIS: Optical Image Stabilizer）を含んでいてもよい。なお、光学系１１０を構成する各種レンズは何枚から構成されるものでも、何群から構成されるものでもよい。
【００１８】
フォーカスレンズ１１１は被写体のフォーカス状態の調節に用いられる。ズームレンズ１１２は被写体の画角の調節に用いられる。絞り１１３は、ＣＣＤイメージセンサ１２０に入射する光量の調節に用いられる。シャッタ１１４は、ＣＣＤイメージセンサ１２０に入射する光の露出時間を調節する。フォーカスレンズ１１１、ズームレンズ１１２、絞り１１３、シャッタ１１４は、それぞれに対応したＤＣモータやステッピングモータ等の駆動手段により、コントローラ１３０から通知された制御信号に従って駆動される。
【００１９】
ＣＣＤイメージセンサ１２０は、光学系１１０を通して形成された被写体像を撮像して画像情報を生成する。ＣＣＤイメージセンサ１２０の受光面には多数のフォトダイオードが２次元的に配列されている。また、各フォトダイオードに対応してＲ、Ｇ、Ｂの原色カラーフィルタが所定の配列構造で配置されている。撮像対象となる被写体からの光は、光学系１１０を通過した後に、ＣＣＤイメージセンサ１２０の受光面に結像され、画像情報を示す電気信号に変換され後段のＡＦＥ１２１に供給される。
【００２０】
また、ＣＣＤイメージセンサ１２０は、デジタルカメラ１００の動作モードに対応した幾つかの駆動モードに基づいて動作する。デジタルカメラ１００の動作モードとしては、再生モードと撮影モードがある。撮影モードには、静止画撮影動作モード、動画撮影動作モード、スルー画像撮影動作モードなどがある。
【００２１】
ＡＦＥ１２１は、ＣＣＤイメージセンサ１２０から入力した画像情報に対して、相関二重サンプリングによる雑音抑圧、アナログゲインコントローラによるＩＳＯ感度値に基づくゲインの乗算、及びＡＤコンバータによるＡＤ変換を実施する。その後、ＡＦＥ１２１は画像情報を画像処理部１２２に出力する。
【００２２】
画像処理部１２２は、ＡＦＥ１２１から出力された画像情報に対して各種の処理を施す。各種処理としては、ＢＭ（ブロックメモリ）積算、スミア補正、ホワイトバランス補正、ガンマ補正、ＹＣ変換処理、電子ズーム処理、圧縮処理、伸張処理等が挙げられるが、これらに限定されるものではない。画像処理部１２２は、ハードワイヤードな電子回路で構成してもよいし、プログラムを用いたマイクロコンピュータなどで構成してもよい。また、画像処理部１２２は、コントローラ１３０のような他の機能部とともに１つの半導体チップで構成してもよい。
【００２３】
温度センサ１６１は、デジタルカメラ１００の筐体内温度を測定する。そして、温度センサ１６１は、筐体内温度の測定結果をコントローラ１３０に通知する。ここで、デジタルカメラ１００の筐体内温度について説明する。
【００２４】
図４は、デジタルカメラ１００を背面から見た内部構成イメージ図である。図４に示すように、ＣＣＤイメージセンサ１２０は光学系１１０に対向する位置に配置されている。また、図示していないが、デジタルカメラ１００を背面から見て右側には、カードスロット１４１やバッテリケース（不図示）が配置されており、それらと対向する位置に画像処理部１２２が配置されている。また、ユーザがデジタルカメラ１００を把持するグリップ部内に温度センサ１６１が配置されている。動画像記録など、ＣＣＤイメージセンサ１２０や画像処理部１２２が動作する状態が長時間継続されると、ＣＣＤイメージセンサ１２０や画像処理部１２２は発熱する。これに伴い、デジタルカメラ１００の筐体内温度は上昇する。ＣＣＤイメージセンサ１２０および画像処理部１２２といった発熱体は、筐体の水平方向の中心を基準として概ね対称な位置に配置されている。このため、デジタルカメラ１００筐体内の温度分布は概ね左右対称となる。ユーザは、撮影時において、デジタルカメラ１００の左右の端部を両手を使って把持することが多い。よって、デジタルカメラ１００筐体内の左右のグリップ内のいずれか一方に温度センサ１６１を配置すれば、他方の測定結果も同等のものであると推定することができる。実施の形態１においては、デジタルカメラ１００を片手で保持して撮影する場合を想定し、レリーズ釦２０１やズームレバー２０２等の操作部材の集中した右手側グリップ内に温度センサを配置している。
【００２５】
液晶モニタ１２３は、デジタルカメラ１００の背面に備わる。液晶モニタ１２３は、画像処理部１２２にて処理された画像情報に基づく画像を表示する。液晶モニタ１２３が表示する画像には、スルー画像や記録画像がある。スルー画像は、ＣＣＤイメージセンサ１２０により一定時間ごとに生成されるフレームの画像を連続して表示することで得られる画像である。通常、デジタルカメラ１００が撮影モードにあるときに、画像処理部１２２は、ＣＣＤイメージセンサ１２０が生成した画像情報からスルー画像を生成する。ユーザは、液晶モニタ１２３に表示されるスルー画像を参照することにより、被写体の構図を確認しながら撮影できる。記録画像は、デジタルカメラ１００が再生モードにあるときに、メモリカード１４０等に記録された高画素の動画像や静止画像を、液晶モニタ１２３に表示するために低画素サイズに縮小して得られる画像である。
【００２６】
コントローラ１３０は、デジタルカメラ１００全体の動作を制御する。コントローラ１３０は、ハードワイヤードな電子回路で構成してもよいし、マイクロコンピュータなどで構成してもよい。また、画像処理部１２２などと共に1つの半導体チップで構成してもよい。
【００２７】
フラッシュメモリ１４２は、画像情報等を記録するための内部メモリとして機能する。また、フラッシュメモリ１４２は、オートフォーカス制御（ＡＦ制御）や自動露出制御（ＡＥ制御）、フラッシュ１６０の発光制御に関するプログラムの他、デジタルカメラ１００全体の動作を統括制御するためのプログラムを格納している。また、フラッシュメモリ１４２は、図５に示すような、設定した動画記録モード（詳細は後述）に対する温度上昇率の対応情報を格納している。コントローラ１３０は、フラッシュメモリ１４２にアクセスすることにより、設定する動画記録モードの温度上昇率を把握することができる。
【００２８】
バッファメモリ１２４は、画像処理部１２２やコントローラ１３０のワークメモリとして機能する記憶手段である。バッファメモリ１２４はＤＲＡＭ（Dynamic Random Access Memory）などで実現できる。
【００２９】
カードスロット１４１は、メモリカード１４０を着脱可能な接続手段である。カードスロット１４１は、メモリカード１４０を電気的及び機械的に接続可能である。また、カードスロット１４１はメモリカード１２０を制御する機能を備えてもよい。
メモリカード１４０は内部にフラッシュメモリ等の記録部を備えた外部メモリである。メモリカード１４０は画像処理部１２２で処理される画像情報などのデータを記録可能である。
【００３０】
マイク１６２は、デジタルカメラ１００の周辺の音声を集音して、音声情報を示す電気信号に変換する。電気信号に変換された音声情報は、メモリカード１４０に記録される。マイク１６２は、デジタルカメラ１００が音声記録モードや動画像記録モードに設定されたときに動作する。マイク１６２は、デジタルカメラ１００の上面に配置されるが（不図示）、配置場所はこれに限定されるものではない。
【００３１】
スピーカ１６３は、メモリカード１４０に記録された音声情報を、人に聴こえる音声に変換して発生する。スピーカ１６３は、再生モードにおいて、メモリカード１４０に記録された音声情報や、動画像情報を再生する際に動作する。スピーカ１６３は、デジタルカメラ１００の上面に配置されるが（不図示）、配置場所はこれに限定されるものではない。
【００３２】
操作部１５０は、デジタルカメラ１００の外装に備わっている操作釦や操作レバーの総称であり、ユーザによる操作を受け付ける。操作部１５０は、例えば、図１や図２に示したレリーズ釦２０１、ズームレバー２０２、電源釦２０３、中央釦２０４、十字釦２０５、動画記録釦２０６などを含む。操作部１５０はユーザによる操作を受け付けると、コントローラ１３０に種々の動作指示信号を通知する。
【００３３】
レリーズ釦２０１は、半押し状態と全押し状態の二段階の状態を取り得る押下式釦である。レリーズ釦２０１がユーザにより半押しされると、コントローラ１３０は、オートフォーカス（ＡＦ：Auto Focus）制御や、自動露出（ＡＥ：Auto Exposure）制御を実行し撮影条件を決定する。続いて、レリーズ釦２０１が、ユーザにより全押しされると、コントローラ１３０は、全押しのタイミングにＣＣＤイメージセンサ１２０により生成された画像情報を静止画像としてメモリカード１４０等に記録する。
【００３４】
ズームレバー２０２は画角調節についての広角端と望遠端を有する中央位置自己復帰式のレバーである。ズームレバー２０２は、ユーザにより操作されるとコントローラ１３０にズームレンズ１１２を駆動するための動作指示信号を通知する。すわなち、ズームレバー２０２が広角端に操作されると、コントローラ１３０は、被写体を広角で捉えられるようにズームレンズ１１２を駆動する。同様に、ズームレバー２０１が望遠端に操作されると、コントローラ１３０は、被写体を望遠で捉えられるようにズームレンズ１１２を駆動する。
【００３５】
電源釦２０３は、デジタルカメラ１００を構成する各部への電力供給をＯＮ/ＯＦＦするための押下式釦である。電源ＯＦＦ時に電源釦２０３がユーザにより押下されると、コントローラ１３０はデジタルカメラ１００を構成する各部に電力を供給し、起動させる。また、電源ＯＮ時に電源釦２０３がユーザにより押下されると、コントローラ１３０は各部への電力供給を停止する。
【００３６】
動画記録釦２０６は、押下式釦である。デジタルカメラ１００が撮影モードにあって、液晶モニタ１２３がスルー画像を表示して撮影待機状態にあるときに、動画記録釦２０６が押下されることにより、コントローラ１３０は動画記録動作を開始する。動画記録動作が開始されると、指定された動画記録モードに従って、ＣＣＤイメージセンサ１２０および画像処理部１２２は動画像情報を生成する。またこのとき、マイク１６２は音声を集音して音声情報を生成する。そして、画像処理部１２２は、生成された動画像情報および音声情報を所定の動画記録フォーマットに従って多重化処理して、音声付の動画像情報を生成する。コントローラ１３０は、生成されてくる音声付の動画像情報をメモリカード１４０に記録していく。また、デジタルカメラ１００が動画像撮影状態にあるときに、動画記録釦２０６が押下されることにより、コントローラ１３０は動画記録動作を終了する。
【００３７】
中央釦２０４は、押下式釦である。デジタルカメラ１００が撮影モードあるいは再生モードにあるときに、中央釦２０４がユーザにより押下されると、コントローラ１３０は液晶モニタ１２３にメニュー画面を表示する。メニュー画面は、撮影/再生のための各種条件を設定するための画面である。各種条件の設定項目が選択されているときに押下されると、中央釦２０４は決定釦としても機能する。
【００３８】
十字釦２０５は、上下左右方向に設けられた押下式釦である。ユーザは、十字釦２０５のいずれかの方向を押下することにより、液晶モニタ１２３に表示される各種の項目を選択することができる。
【００３９】
１−１−２  動画記録モード
本実施形態のデジタルカメラ１００は、記録する動画の画質やサイズを設定するための複数の動画記録モードを有する。動画記録モードは操作部１５０を介してユーザが指定（設定）できる。コントローラ１３０は、撮影モードにおける動画記録動作の際に、ＣＣＤイメージセンサ１２０や画像処理部１２２に対して、操作部１５０を介して指定された、記録する動画の画質を決定するための動画記録モードを設定する。動画記録モードは、高画質で動画記録できる第一の動画記録モードから、低画質で動画記録する第四の動画記録モードまで複数用意されている。図５は、各動画記録モードに対する筐体内の温度上昇率を説明するための図である。なお、図５は、デジタルカメラ１００の筐体が所定の基準温度（例えば、室温（例えば２７゜Ｃ）よりも高い温度））にある状態において、各動画記録モードで継続して動作させた場合の、各動画記録モードと筐体の温度上昇率との関係を示している。
【００４０】
第一の動画記録モードにおいては、ＣＣＤイメージセンサ１２０は、フルハイビジョンサイズ（１９２０ドット×１０８０ドット）の画像を、プログレッシブ方式により毎秒６０フレーム出力する。そして、画像処理部１２２は出力画像を圧縮処理する。
【００４１】
第二の動画記録モードにおいては、ＣＣＤイメージセンサ１２０は、フルハイビジョンサイズの画像を、プログレッシブ方式により毎秒６０フレーム出力する、そして、画像処理部１２２は、出力画像をインターレース方式にしたがい間引き処理をした後、圧縮処理する。
【００４２】
第三の動画記録モードにおいては、ＣＣＤイメージセンサ１２０は、ハイビジョンサイズ（１２８０ドット×７２０ドット）の画像を、プログレッシブ方式により毎秒６０フレーム出力する。そして、画像処理部１２２は出力画像を圧縮処理する。
【００４３】
第四の動画記録モードにおいては、ＣＣＤイメージセンサ１２０は、ハイビジョンサイズの画像を、プログレッシブ方式により毎秒３０フレーム出力する。そして、画像処理部１２２は出力画像を圧縮処理する。
【００４４】
各動画記録モードでデジタルカメラ１００を継続的に動作させたときに到達するデジタルカメラ１００の筐体内温度は、放熱と発熱の関係により決定される。すなわち、高画質で動画記録できるモード（第一及び第二の動画記録モード）では、ＣＣＤイメージセンサ１２０や画像処理部１２２の処理負荷が大きいため、発熱量が多く、発熱量が放熱量を上回る。このため、デジタルカメラ１００の筐体内温度は上昇する。そのような動画記録モードで記録動作を継続すると、筐体内の温度は上昇していき、やがて記録停止温度（詳細は後述）に到達する。この場合、デジタルカメラ１００の筐体内温度の上昇率は正の値となる。
【００４５】
一方、低画質または小さい画像サイズで動画記録するモード（第三及び第四の動画記録モード）では、ＣＣＤイメージセンサ１２０や画像処理部１２２の処理負荷が小さいため、発熱量が小さい。この場合、そのような動画記録モードで記録動作を継続すると、デジタルカメラ１００の筐体内温度は最終的には、放熱と発熱がバランスする一定温度（記録停止温度よりも低い温度）になる。このような動画記録モードで記録動作を継続しても、筐体内の温度は記録停止温度には到達することはない。なお、図５では、第三及び第四の動画記録モードで記録動作を継続させた場合に、開始時の基準温度が最終的に到達する温度よりも高いために、デジタルカメラ１００の筐体内温度が開始時の基準温度から下降していく例を示している。この場合、筐体内温度の上昇率は負の値となる。
【００４６】
すなわち、第一の動画記録モードは、高画質で動画記録できる反面、筐体内の温度上昇率は高くなる。第二の動画記録モードは、間引き処理後の出力画像を圧縮処理するため、第一の動画記録モードに比べて、画像処理部１２２の圧縮処理にかかる負荷が低減される。このため、筐体内の温度上昇率は第一の動画記録モードに比べてやや小さくなる。第三の動画記録モードは、第一及び第二の動画記録モードに比べて画像の出力サイズが小さいため、ＣＣＤイメージセンサ１２０の出力動作負荷および画像処理部１２２の処理負荷が低減され、筐体内温度はやや下降傾向にある。第四の動画記録モードは低画質の動画記録設定であり、出力フレームレートが他の動画記録モードに比べてより少なくなっている。このため、更にＣＣＤイメージセンサ１２０の処理負荷および画像処理部１２２の処理負荷が低減され、筐体内温度が下降する傾向になっている。なお、図５に示すような動画記録モードと温度上昇率の関係は一例であり、デジタルカメラ１００の筐体サイズや、ＣＣＤイメージセンサ１２０や画像処理部１２２の仕様等により変化するということは言うまでもない。本実施の形態では、図５に示すような関係を前提として以下の説明を行う。なお、ユーザにより、動画記録動作を開始する前に予め所望の動画記録モードをコントローラ１３０に設定しておくこともできる。
【００４７】
コントローラ１３０は、温度センサ１６１が測定した筐体内温度に基づいて動画記録の残記録時間を演算する。例えば、コントローラ１３０は、所定の時間毎の筐体内温度を監視することにより、筐体内温度の時間変化を把握することができる。コントローラ１３０は、新たに測定された筐体内温度と、現在把握している筐体内温度の時間変化とを用いることにより、筐体内温度が動画記録停止温度に達するまでの時間（すなわち動画の残記録時間）を演算することができる。さらに、コントローラ１３０は、メモリカード１４０の残記録容量に基づいて動画記録の残記録時間を演算する。コントローラ１３０は、現在記録中の動画の単位時間あたりのメモリカード１４０の残記録容量の変化と、メモリカード１４０の現時点の残記録容量とを用いることにより、メモリカード１４０の記録容量がなくなるまでの時間（すなわち残記録時間）を演算することができる。
【００４８】
１−２  本発明との対応関係
本実施形態において、ＣＣＤイメージセンサ１２０および画像処理部１２２は、動画像生成部の一例である。温度センサ１６１は、温度検出部の一例である。メモリカード１４０は、記録媒体の一例である。液晶モニタ１２３は表示部の一例である。コントローラ１３０は、演算部、表示制御部または記録制御部、記録停止部の一例である。デジタルカメラ１００は撮像装置の一例である。記録停止温度は第１の所定温度の一例であり、ワーニング温度は第２の所定温度の一例である。第一及び第二の動画記録モードは第１の記録モードの一例であり、第三及び第四の動画記録モードは第２の記録モードの一例である。
【００４９】
１−３  動作
デジタルカメラ１００の動画記録における残記録時間の表示動作について説明する。図６は、動画記録における残記録時間表示の動作フローチャートである。
【００５０】
コントローラ１３０は、デジタルカメラ１００の撮影待機状態時において、ユーザによる動画記録釦２０６の押下操作を受け付けると、動画記録動作を開始する（Ｓ３００）。コントローラ１３０は、筐体内温度や、メモリカード１４０の記録容量、バッテリ残量等に問題ない限り、動画記録釦２０６の再度の押下操作を受け付けるまで動画記録を継続する（Ｓ３０１）。
【００５１】
動画記録中において、コントローラ１３０は、デジタルカメラ１００の筐体内温度に応じて、動画記録の残記録時間の表示方法を判断する（Ｓ３０２）。具体的には、コントローラ１３０は、動画記録の残記録時間として、デジタルカメラ１００の筐体内温度に基づき算出した残記録時間を表示するか、メモリカード１４０の記録容量に基づき算出した残記録時間を表示するかを判断する。ステップＳ３０２における、動画記録の残記録時間の表示方法の判断についての詳細は後述する。
【００５２】
続いて、コントローラ１３０は、ステップ３０２において判断された残記録時間の表示方法に従って、液晶モニタ１２３に動画記録の残記録時間を表示する（Ｓ３０３）。すなわち、コントローラ１３０は、デジタルカメラ１００の筐体内温度に基づき算出した残記録時間またはメモリカード１４０の記録容量に基づき算出した残記録時間のいずれかを液晶モニタ１２３に表示する。
【００５３】
図７は、動画記録の残記録時間の表示の一例を示した図である。図７に示すように、液晶モニタ１２３には動画記録中の画像（スルー画像）が表示されており、液晶モニタ１２３の左上に残記録時間が表示される。図７の例では、残記録時間として「２９分５９秒」が表示されている。また、液晶モニタ１２３の右下には、動画記録を開始してからの時間が表示される。図７の例では、動画記録を開始してからの時間として「５秒」が表示されている。なお、液晶モニタ１２３における残記録時間の表示位置や、動画記録を開始してからの経過時間の表示位置は適宜変更可能であり、上記の例に限定されるものではない。
【００５４】
コントローラ１３０は、動画記録の残記録時間がゼロになるまで、ステップＳ３００からステップＳ３０４の動作を繰り返す。動画記録の残記録時間がゼロになると、コントローラ１３０は、動画記録動作を強制的に終了する（Ｓ３０５）。
【００５５】
次に、上述のステップＳ３０２における残記録時間の表示方法の判断について説明する。図８は、残記録時間表示方法の判断処理を示すフローチャートである。
【００５６】
コントローラ１３０は、温度に関する閾値として、ワーニング温度（第１の閾値）と記録停止温度（第２の閾値）とを予め定めている。記録停止温度（第２の閾値）は、温度上昇に伴うデジタルカメラ１００の制御上又は操作上の不具合を回避するために動画記録を強制的に停止させるか否かを判断する際の判断基準となる温度である。ワーニング温度（第１の閾値）は、動画記録停止温度にまもなく到達する旨を伝える警告を出力するか否かを判断する際の判断基準となる温度である。
【００５７】
コントローラ１３０は、動画記録中において、温度センサ１６１の測定結果を監視している（Ｓ４００）。コントローラ１３０は、温度センサ１６１の測定結果の示す温度がワーニング温度（第１の閾値）より大きい場合は（Ｓ４００におけるＹｅｓ）、温度上昇に基づく残記録時間表示を実行すると判断する（Ｓ４０１）。一方、温度センサ１６１の測定結果の示す温度がワーニング温度よりも小さい場合は（Ｓ４００におけるＮｏ）、コントローラ１３０は、メモリカード１４０の残り記録容量に基づく残記録時間表示を実行すると判断する（Ｓ４０２）。
【００５８】
動画記録の時間経過に伴って温度上昇したときの制御動作について説明する。図９は、時間経過に伴って温度上昇したときの制御を説明するための図である。図９は、横軸が時間経過を示しており、縦軸がデジタルカメラ１００の筐体の温度上昇を示している。動画記録動作を開始すると、ＣＣＤイメージセンサ１２０や画像処理部１２２の発熱に伴い、デジタルカメラ１００の筐体内温度は上昇する。やがて、筐体内温度はワーニング温度を超えて記録停止温度（第２の閾値）に到達する。このとき、ユーザが動画撮影中であっても、コントローラ１３０は動画記録を強制的に停止する。
【００５９】
しかしながら、長時間動画記録を継続したいようなシーンをユーザが動画撮影している場合に、温度センサにより測定された温度が閾値を超えたからといって、動画記録動作を突然停止してしまうと、ユーザが重要だと思うシーンを記録できない場合があり、ユーザにとって不満が残る。そこで、本実施の形態では、デジタルカメラ１００は、筐体内の測定温度が上昇した場合に、温度に基づき算出された残記録時間を表示するようにしている。これにより、ユーザは、動画記録停止のタイミングを予め把握でき、必要に応じて、温度上昇率の小さい動画記録モードに切り替える等の、動画記録時間を延長するための処置を取ることが出来る。
【００６０】
１−４  まとめ
以上のように、実施の形態１に係るデジタルカメラ１００は、動画像を記録可能な撮像装置であって、被写体像に基づいて動画像を生成するＣＣＤイメージセンサ１２０および画像処理部１２２と、記録される動画像の画質を決定する複数の記録モードの中から１つの記録モードを設定する操作部１５０と、筐体内温度を測定する温度センサ１６１と、デジタルカメラ１００が動画像を記録できる時間を示す残り記録時間を表示可能な液晶モニタ１２３と、液晶モニタ１２３を制御するコントローラ１３０とを備える。複数の記録モードは、その記録モードで継続して動画像生成部を動作させた場合に、筐体の温度が記録停止温度に達する程度に発熱する第一または第二の動画記録モード（第１の記録モード）と、その記録モードで継続して動画像生成部を動作させた場合に、筐体が記録停止温度に達し得ない程度に発熱する第三または第四の動画記録モード（第２の記録モード）とを含む。コントローラ１３０は、温度センサ１６１の測定結果が示す筐体内温度に基づき残り記録時間を求め、さらに、操作部１５０により設定された記録モードが第１の記録モードであるか否かを判断し、その判断結果に基づいて、筐体内温度に基づき求めた残り記録時間を液晶モニタ１２３に表示するか否かを決定する。
【００６１】
このような構成により、筐体温度に基づいて求められた動画像の残り記録時間が液晶モニタ１２３に表示されるため、ユーザは、筐体内の測定温度の影響により動画記録の停止が発生し得る状況を事前に把握することができ、動画記録時間を延長するための適切な処置をとることが可能となる。
【００６２】
また、デジタルカメラ１００において、コントローラ１３０は、生成した動画像をメモリカード１４０に記録するよう制御する。そして、コントローラ１３０は、温度センサ１６１による測定結果の示す温度がワーニング温度よりも高いときは、温度センサ１６１の測定結果に基づいて、ＣＣＤイメージセンサ１２０および画像処理部１２２が動画像を生成できる残り時間を演算し、また、温度センサ１６１の測定結果の示す温度がワーニング温度よりも低いときは、メモリカード１４０の残り記録容量に基づいて、ＣＣＤイメージセンサ１２０および画像処理部１２２が動画像を生成できる残り時間を演算する。この構成により、デジタルカメラ１００は、温度センサ１６１の測定結果が示す温度がワーニング温度よりも低いとき（すなわち、動画記録の停止が発生し得る状況ではないとき）は、動画記録の残り記録時間に対して筐体の温度よりもより大きな影響を与える、メモリカード１４０の残り記録容量に基づいた動画像の残り記録時間をユーザに提示することができる。
【００６３】
実施の形態２
本実施の形態のデジタルカメラ１００は、動画記録の残記録時間の表示方法が上記実施の形態１の場合と異なる。すなわち、実施の形態２のデジタルカメラ１００は、図６に示す実施の形態１の動作フローのステップＳ３０２における残記録時間の表示の判断の方法が異なる。デジタルカメラ１００の構成、およびステップＳ３０２以外の処理については、実施の形態１の場合と同様であるため、説明を省略する。図中、同様の構成又は動作については同じ符号を付している。
【００６４】
２−１  動作
実施の形態１のステップＳ３０２における残記録時間の表示方法の判断処理の別の例について説明する。図１０は、実施の形態２における残記録時間の表示方法の判断処理のフローチャートである。
【００６５】
まず、コントローラ１３０は、デジタルカメラ１００の筐体内温度が上昇する動画記録モード（すなわち、温度上昇率が所定値よりも高い動画記録モード）が設定されているか否かを判断する（Ｓ５００）。具体的には、コントローラ１３０は、第一の動画記録モードや第二の動画記録モードが設定されている場合は、デジタルカメラ１００の筐体内温度が上昇すると判断する。また、コントローラ１３０は、第三の動画記録モードや第四の動画記録モードが設定されている場合は、デジタルカメラ１００の筐体内温度が下降すると判断する。
【００６６】
デジタルカメラ１００の筐体内温度が下降する動画記録モードが設定されている場合、ＣＣＤイメージセンサ１２０や画像処理部１２２による発熱による筐体内温度の情報はなく、筐体内温度は記録停止温度に達しないと考えられる。この場合、残記録時間を、より規定するのは、筐体内温度ではなく、メモリカード１４０の残記録容量である。そのため、デジタルカメラ１００の筐体内温度が下降する動画記録モードが設定されている場合（Ｓ５００におけるＮＯ）、コントローラ１３０は、メモリカード１４０の残記録容量に基づいて算出される残記録時間を液晶モニタ１２３に表示すると決定する（Ｓ５０４）。
【００６７】
一方、デジタルカメラ１００の筐体内温度が上昇する動画記録モードが設定されている場合（Ｓ５００におけるＹＥＳ）、コントローラ１３０は、デジタルカメラ１００の筐体内温度及びメモリカード１４０の残記録容量のいずれが、残記録時間をより規定するのかを判断する。すなわち、コントローラ１３０は、メモリカード１４０の残記録容量に基づく残記録時間（Ｔα）と、デジタルカメラ１００の筐体内温度に基づく残記録時間（Ｔβ）とを求める（Ｓ５０１）。そして、コントローラ１３０は、メモリカード１４０の残記録容量に基づく残記録時間（Ｔα）と、デジタルカメラ１００の筐体内温度に基づく残記録時間（Ｔβ）とを比較し、いずれが、残記録時間がより少ないかを判断する（Ｓ５０２）。
【００６８】
デジタルカメラ１００の筐体内温度に基づく残記録時間（Ｔβ）の方が少ないと判断した場合（Ｓ５０２におけるＹＥＳ）、コントローラ１３０は、筐体内温度に基づく残記録時間（Ｔβ）を液晶モニタ１２３に表示すると決定する（Ｓ５０３）。一方、メモリカード１４０の残記録容量に基づく残記録時間（Ｔα）の方が少ないと判断した場合（Ｓ５０２におけるＮＯ）、コントローラ１３０は、メモリカード１４０の残記録容量に基づく残記録時間（Ｔα）を液晶モニタ１２３に表示すると決定する（Ｓ５０４）。
【００６９】
以上のように、コントローラ１３０は、デジタルカメラ１００の筐体内温度に基づく残記録時間と、メモリカード１４０の残記録容量に基づく残記録時間のうち、より動画記録の残記録時間を規定するのに適切な方を選択的に液晶モニタ１２３に表示することができる。
【００７０】
２−２  まとめ
実施の形態２に係るデジタルカメラ１００において、コントローラ１３０は、生成した動画像をメモリカード１４０に記録するよう制御する。また、コントローラ１３０は、ＣＣＤイメージセンサ１２０および画像処理部１２２に、動画像を生成する際の動画記録モードを指定する。そして、コントローラ１３０は、指定している動画記録モードに応じて、温度センサ１６１の計測結果に基づいてＣＣＤイメージセンサ１２０および画像処理部１２２が動画像を生成できる残り時間を演算するか、メモリカード１４０の残り記録容量に基づいてＣＣＤイメージセンサ１２０および画像処理部１２２が動画像を生成できる残り時間を演算するかを決定する。これにより、デジタルカメラ１００は、設定された動画記録モードに適したタイプの動画像の残り記録時間（生成時間）をユーザに提示することができる。
【００７１】
また、上記実施の形態に係るデジタルカメラ１００において、コントローラ１３０は、指定している動画記録モードが、動画像生成の際に筐体内温度が上昇する動画記録モードである場合、温度センサ１６１の計測結果に基づいて演算した残り時間と、メモリカード１４０の残り記録容量に基づいて演算した残り時間とで、残り時間が少ない方の演算結果を液晶モニタ１２３に表示する。これにより、デジタルカメラ１００は、動画像の残り記録時間（生成時間）をより規定する方の時間を、動画像の残り記録時間（生成時間）としてユーザに提示することができる。
【００７２】
他の実施の形態
本発明は、上記実施の形態に限定されず、種々の実施形態が考えられる。以下、本発明の他の実施の形態についてまとめて記載する。
【００７３】
上記実施の形態において、ＣＣＤイメージセンサ１２０を撮像素子の一例として説明したが、撮像素子はこれに限定されない。すなわち、撮像素子は、ＣＭＯＳイメージセンサやＮＭＯＳイメージセンサなど他の種類の撮像素子であってもよい。
【００７４】
上記実施の形態において、図９に示す例では、デジタルカメラ１００の筐体内温度が、ワーニング温度よりも大きいか否かにより、表示させる残記録時間の種類を切り替える例を説明した。しかし、残記録時間の表示方法はこれに限定されない。すなわち、メモリカード１４０の残記録容量に基づく残記録時間と、筐体内温度に基づく残記録時間とを同時に表示するようにしてもよい。これによって、ユーザは、残記録容量に基づく残記録時間と、筐体内温度に基づく残記録時間とのうちのいずれが、動画記録の残記録時間により影響を与えるかを容易に判断することができる。
【００７５】
上記実施の形態において、メモリカード１４０の残記録容量に基づく残記録時間の表示と、筐体内温度に基づく残記録時間の表示とは、異なる表示形態で表示させるようにしてもよい。例えば、サイズや、フォントや、色を変えるようにしてもよい。これにより、メモリカード１４０の残記録容量に基づく残記録時間の表示と、筐体内温度に基づく残記録時間の表示とが切り替わっても、ユーザはいずれの情報が表示されているかを判断することができる。
【００７６】
上記実施の形態では、残記録時間を筐体内温度に基づき演算して求める例を説明したが、残記録時間の求め方はこの方法に限定されない。すなわち、フラッシュメモリ１４２に筐体内温度がワーニング温度を超えた場合の残記録時間の情報を予め格納しておいてもよい。コントローラ１３０は、筐体内温度がワーニング温度を超えたときに、フラッシュメモリ１４２から残記録時間の情報を読み出し、その情報を液晶モニタ１２３に表示するようにしてもよい。
【００７７】
また、上記実施の形態において、コントローラ１３０は、デジタルカメラ１００の筐体内温度がワーニング温度を超えたときは、液晶モニタ１２３に、他の動画記録モードへの変更を提案するメッセージを表示してもよい。又は、コントローラ１３０は、筐体内温度に基づく残記録時間を液晶モニタ１２３に表示すべきと判断した場合に、液晶モニタ１２３に、他の動画記録モードへの変更を提案する表示をしてもよい。更には、コントローラ１３０は、動画記録中の任意のタイミングでユーザによる操作部１５０の操作があったときに、他の動画記録モードへの設定変更をするようにしてもよい。これらの場合の、液晶モニタ１２３の表示例を図１１に示す。
【００７８】
図１１は、動画記録モードを設定する画面の例を示した図である。図１１に示すように、各動画記録モードを採用した場合の残記録時間を合わせて液晶モニタ１２３に表示するようにしてもよい。このとき、第一の動画記録モードおよび第二の動画記録モードは、温度上昇する動画記録モードであるため、筐体内温度が動画記録停止温度に到達する恐れがある。そのため、第一の動画記録モードおよび第二の動画記録モードについては、筐体内温度に基づく残記録時間を表示する。一方、第三の動画記録モードおよび第四の動画記録モードは、温度降下する動画記録モードであるため、筐体内温度が動画記録停止温度に到達する恐れがない。そのため、第三の動画記録および第四の動画記録モードについては、メモリカード１４０の残記録容量に基づく残記録時間を表示する。これにより、ユーザは、設定可能な動画記録モードのそれぞれについて適切な残記録時間を認識でき、残記録時間を考慮して適切な動画記録モードを選択することができる。
【００７９】
上記実施の形態において、図７の例では、残記録時間を示す数字を液晶モニタ１２３に表示したが、残記録時間の表示方法はこれに限定されない。すなわち、筐体内温度が動画記録停止温度に達するまでの時間をグラフィカルにユーザに提示してもよい。図１２にその一例を示す。図１２に示すように、横軸に時間を、縦軸に温度をとった座標系を持つグラフを液晶モニタ１２３に表示し、温度センサ１６１が測定している温度をそのグラフ中にプロットするようにしてもよい。その際、グラフ上には動画記録停止温度を示す線を示す。又は、動画記録停止温度を超えた領域の背景色を、動画記録停止温度を超えない領域と異なる背景色にしてもよい。これにより、ユーザは、筐体内温度が動画記録停止温度に達するまでの時間をグラフィカルに把握することができる。
【００８０】
また、図１０に示すフローチャートにおいて、ステップＳ５０２〜Ｓ５０４の処理を、図８のフローチャートに示すステップＳ４００〜Ｓ４０２の処理に置き換えてもよい。これによっても、メモリカード１４０の残記録容量に基づく残記録時間の表示と、筐体内温度に基づく残記録時間の表示とが適宜切り替わり、より適切な残り記録時間をユーザに提示することができる。
【００８１】
上記の実施形態の思想は、レンズ一体型のカメラであっても、レンズ着脱式のカメラであっても適用可能である。
【産業上の利用可能性】
【００８２】
上記の実施形態の思想は、デジタルカメラのみならず、ムービーカメラやカメラ付き情報端末などの、動画記録が可能な撮像装置に適用可能である。
【符号の説明】
【００８３】
１００…デジタルカメラ
１１１…フォーカスレンズ
１１２…ズームレンズ
１１３…絞り
１１４…シャッタ
１２０…ＣＣＤイメージセンサ
１２１…ＡＦＥ（アナログ・フロント・エンド）
１２２…画像処理部
１２３…液晶モニタ
１２４…バッファメモリ
１３０…コントローラ
１４０…メモリカード
１４１…カードスロット
１４２…フラッシュメモリ
１５０…操作部
１６０…フラッシュ
１６１…温度センサ
１６２…マイク
１６３…スピーカ
２０１…レリーズ釦
２０２…ズームレバー
２０３…電源釦
２０４…中央釦
２０５…十字釦
【図１】
0005732625.tif 000002
【図２】
0005732625.tif 000003
【図３】
0005732625.tif 000004
【図４】
0005732625.tif 000005
【図５】
0005732625.tif 000006
【図６】
0005732625.tif 000007
【図７】
0005732625.tif 000008
【図８】
0005732625.tif 000009
【図９】
0005732625.tif 000010
【図１０】
0005732625.tif 000011
【図１１】
0005732625.tif 000012
【図１２】
0005732625.tif 000013